(57)【要約】【課題】  講習会等の実施記録とか、当該講習会への出席記録をとるに際して、代返や改ざん等の不正行為を防止でき、時と場所を選ばず比較的簡単に検証を行える方式を提供する。【解決手段】  ＣＰＵ１２、個人ＩＤを読み取る情報媒体通信インターフェース１６と携帯カメラ等からなる撮像部１７を有するモバイル端末機１０と、ＣＰＵ２２、表示部２４、外部記憶装置２６、タッチパネルなどの検索部２７を有する管理コンピュータ２０からなり、モバイル端末機１０において情報媒体インターフェース１６によって受講者の個人ＩＤを読み取り、撮像部１７で受講者の集合写真を撮影して画像データを生成する。管理コンピュータ２０では、ＣＰＵ２２が、上記個人ＩＤと画像データを基に、所望のデータテーブルを作成し、外部記憶装置２６に格納しておき、個人ＩＤと画像データを基に、データテーブルから参加者の写真を抽出し、表示部２４に表示して目視で参加者の検証を行う。【選択図】      図１
2006053597.tif 000002
【特許請求の範囲】
【請求項１】
講習会等の実施並びに講習会への参加受講等の実績を記録管理するためのコンピュータにより記録管理するシステムであって、
受講者が携帯する受講者を証明するＩＤ媒体から、ＩＤを識別して上記コンピュータの記憶部に記憶するＩＤ識別記憶手段と、
講習会等に参加した複数受講者の集合写真を撮影すると共に、その画像データを、上記コンピュータの集合写真画像データ記憶部に記憶させる集合写真画像データ記憶手段と、
上記画像データを、上記コンピュータの表示部に表示し、表示された集合写真における各受講者の画像位置情報と受講者のＩＤ情報とを関連させて記憶する受講者画像位置情報記憶手段とを備え、
検証に際しては、受講者ＩＤ又は講座ＩＤを基に、講習に参加出席した各受講者の集合写真を画面上に再現して表示し、検証対象とする講習が確かに行われた旨、及び、当該講習会に参加した受講者の面々を目視により確認可能に構成したことを特徴とする講習会等に係わる出席者記録管理システム。
【請求項２】
各受講者の画像位置情報と、受講者のＩＤ情報と、受講者の登録済の顔写真とを関連させて記憶する受講者画像位置情報記憶手段とを備えたことを特徴とする請求項１に記載の出席者記録管理システム。
【請求項３】
各受講者の画像位置情報と、受講者のＩＤ情報とを関連づけ、且つ、デジタルタイムスタンプし、また暗号化して記憶させることを特徴とする請求項１又は２に記載の出席者記録管理システム。
【請求項４】
各受講者の画像位置情報と、受講者のＩＤ情報と、受講者の登録済の顔写真とを関連づけ、且つ、デジタルタイムスタンプし、また暗号化して記憶させることを特徴とする請求項２に記載の出席者記録管理システム。
【請求項５】
カメラ機能を備えた携帯電話機などの携帯用通信端末機であるモバイル端末機により、受講者の集合写真を撮影し、撮影した画像を送信してコンピュータの集合写真画像記憶手段に記憶するようにしたことを特徴とする請求項１、２、３又は４に記載の出席者記録管理システム。
【請求項６】
コンピュータを用いて、講習などの実施並びに講習会への参加受講などの実績を記録する記録管理方法であって、
受講者が携帯する受講者を証明するＩＤ媒体から、ＩＤを識別して上記コンピュータの記憶部に記憶するＩＤ識別記憶ステップと、
講習等に参加した複数受講者の集合写真を撮影すると共に、その画像データを上記コンピュータの集合写真画像データ記憶部に記憶させる集合写真画像データ記憶ステップと、
上記画像データを、上記コンピュータの表示部に表示し、表示された集合写真における各受講者の画像位置情報と、受講者のＩＤ情報とを関連させて記憶する受講者画像位置情報記憶ステップとを有し、
検証に際しては、受講者ＩＤ又は講座ＩＤを基に、講習に参加した各受講者の集合写真を画面上に再現して表示し、検証対象とする講習が確かに行われた旨、及び、当該講習会に参加した受講者の面々を目視により確認可能にすることを特徴とする出席者記録管理方法。
【請求項７】
各受講者の画像位置情報と、受講者のＩＤ情報と、受講者の登録済の顔写真とを関連させて記憶する受講者画像位置情報記憶ステップとを備えていることを特徴とする請求項６に記載の出席者記録管理方法。
【発明の詳細な説明】
【技術分野】
【０００１】
本発明は、例えば企業等の組織が取り組む品質、又は、環境に関するＩＳＯマネージメントシステム、又は、個人情報保護システム、労働安全システム等、各マネージメント規格に規定される要求事項である各組織の構成員に対する教育・訓練の実施記録、或いは、資格試験における受講実績や、大学等における授業への出席実績等を、記録として確実に残すことができる出席者記録管理システムと、出席者記録管理方法に関するものである。
【背景技術】
【０００２】
各種の入学試験（入試）や資格試験や、品質システム、環境システム、労働安全システム、個人情報保護システム等に対する教育・訓練実施の要求が求められている。特にプライバシーマークにおいては繰り返しの教育が強く求められている。そして、それを実施したという証は、つまり、第三者が検証（監査など）ができるものとしての証としては、その教育を行ったという事実の記録しか残っていない。しかも、会社も事件を起こした場合の社会的制裁の強さに伴って、教育を行ったという形だけの記録だけではなく、受験者や受講者等を具体的に明らかにする実質を求める状況にもある。
【０００３】
受験者又は受講者本人確認の方法としては、身分証の提示、ＩＤの読み取りとパスワードの組み合わせが存在する。しかし、これ等の方法ではデータ入力操作に手間がかかり、しかもパスワードの扱いの不確かさもある。また、身代わりや代返に相当するものも可能であるため、本人確認が不十分になる問題がある。
【０００４】
また、本人確認の別な方法として、指紋や声紋、筆跡（サイン）、顔の照合などバイオメトリクス認証で存在するが、これ等変えることができない個人情報は、記録の保存管理においては大きな負担を強いるものであり、ましてや、セキュリティー度の高くない職種の人やパートタイマーや派遣社員等において、また入試者などの生体情報としては、扱いたくないのが実情である。
【０００５】
しかし、教育・訓練は、決まった部屋で行われるとは限らず、特に現場で行われるＯＪＴや移動を伴う訓練においての教育記録を残すことは、教育講師等に負担となっていることも事実である。そこで、従来の技術として、特許文献１に記載の「出席集計システム」と、特許文献２に記載の「出席管理スキャナー装置」が提案されている。
【０００６】
特許文献１に記載の「出席集計システム」は、学生をＩＤコードで示し、ＩＤコードによって学生の出席を集計する出席集計システムであり、出席した学生のＩＤコードをハンディスキャナで読み取り、該ハンディスキャナに記憶された教科科目である識別コードＩＤと、上記の読み取った学生のＩＤコード番号とから、当該教科科目に出席した学生をＩＤコードとして求め、集計するものである。このシステムによれば、ハンディスキャナでＩＤカードから学生番号を入力する際に、出席していない他の学生に頼まれたＩＤカードの学生番号を入力することも容易にでき、いわゆる「代返」を防止することができない、といった問題点がある。
【０００７】
また、特許文献２に記載の「出席管理スキャナ装置」は、上記の問題を解決すべく提案がなされたものであって、教室の机上に固有の机番号を特定する机バーコードを予め貼付しておき、スキャナ装置で学生が所持している本人を証明するＩＤカードに付された学生番号と、上記机バーコードの両方の読み取り結果に基づいて、学生の出席を確認して出席情報を作成するものであり、特定の学生番号を１対１に対応させたデータを正常な入力と確認して登録するため、同じ机番号を入力するといった不正を防止できる特徴を有している。
【特許文献１】特開平７−２４４６５２
【特許文献２】特開平１１−２０３２７０
【発明の開示】
【発明が解決しようとする課題】
【０００８】
しかし、上記特許文献２に記載の出席管理スキャナ装置による方式においても、いわゆる代返の可能性はある。即ち、他の学生に頼まれたＩＤカードの学生番号を入力する際に、空席の机のバーコードを読んで入力すればよく、いわゆる代返は可能となる。また、身代わりに対しては、検証する手だてや証がない。
【０００９】
本発明は上述した問題点を解決するべく開発されたものであって、その技術的課題は、講習会等の実施記録とか、当該講習会への出席記録をとるに際して、上記のような代返や改ざんを防止でき、且つ、時と場所を選ばず比較的簡単に検証を行えるように工夫した出席者記録管理システムを提供することである。
【課題を解決するための手段】
【００１０】
上記の技術的課題を解決するために、本発明の請求項１に係る出席者記録管理システムは、講習会等の実施並びに講習会への参加受講等の実績を記録管理するためのコンピュータにより記録管理するシステムであって、受講者が携帯する受講者を証明するＩＤ媒体から、ＩＤを識別して上記コンピュータの記憶部に記憶するＩＤ識別記憶手段と、講習会等に参加した複数受講者の集合写真を撮影すると共に、その画像データを、上記コンピュータの集合写真画像データ記憶部に記憶させる集合写真画像データ記憶手段と、上記画像データを、上記コンピュータの表示部に表示し、表示された集合写真における各受講者の画像位置情報と受講者のＩＤ情報とを関連させて記憶する受講者画像位置情報記憶手段とを備え、検証に際しては、受講者ＩＤ又は講座ＩＤを基に、講習に参加出席した各受講者の集合写真を画面上に再現して表示し、検証対象とする講習が確かに行われた旨、及び、当該講習会に参加した受講者の面々を目視により確認可能に構成したことを特徴としている。
【００１１】
また、本発明の請求項２に係る出席者記録管理システムは、各受講者の画像位置情報と、受講者のＩＤ情報と、受講者の登録済の顔写真とを関連させて記憶する受講者画像位置情報記憶手段とを備えたことを特徴としている。
【００１２】
また、本発明の請求項３に係る出席者記録管理システムは、各受講者の画像位置情報と、受講者のＩＤ情報とを関連づけ、且つ、デジタルタイムスタンプし、また暗号化して記憶させることを特徴としている。
【００１３】
また、本発明の請求項４に係る出席者記録管理システムは、各受講者の画像位置情報と、受講者のＩＤ情報と、受講者の登録済の顔写真とを関連づけ、且つ、デジタルタイムスタンプし、また暗号化して記憶させることを特徴としている。
【００１４】
更に本発明の請求項５に係る出席者記録管理システムは、カメラ機能を備えた携帯電話機などの携帯用通信端末機であるモバイル端末機により、受講者の集合写真を撮影し、撮影した画像を送信してコンピュータの集合写真画像記憶手段に記憶するようにしたことを特徴としている。
【００１５】
また、本発明の請求項６に係る出席者記録管理方法は、コンピュータを用いて、講習などの実施並びに講習会への参加受講などの実績を記録する記録管理方法であって、受講者が携帯する受講者を証明するＩＤ媒体から、ＩＤを識別して上記コンピュータの記憶部に記憶するＩＤ識別記憶ステップと、講習等に参加した複数受講者の集合写真を撮影すると共に、その画像データを上記コンピュータの集合写真画像データ記憶部に記憶させる集合写真画像データ記憶ステップと、上記画像データを、上記コンピュータの表示部に表示し、表示された集合写真における各受講者の画像位置情報と、受講者のＩＤ情報とを関連させて記憶する受講者画像位置情報記憶ステップとを有し、検証に際しては、受講者ＩＤ又は講座ＩＤを基に、講習に参加した各受講者の集合写真を画面上に再現して表示し、検証対象とする講習が確かに行われた旨、及び、当該講習会に参加した受講者の面々を目視により確認可能に構成することを特徴としている。
【００１６】
更に本発明の請求項７に係る出席者記録管理方法は、各受講者の画像位置情報と、受講者のＩＤ情報と、受講者の登録済の顔写真とを関連させて記憶する受講者画像位置情報記憶ステップとを備えていることを特徴としている。
【００１７】
上述した各構成から成る本発明によれば、受講者が携帯する受講者を証明するＩＤ媒体から、ＩＤを識別して上記コンピュータの記憶部に記憶し、また、講習会等に参加した複数受講者の集合写真を撮影して、その画像データを上記コンピュータの集合写真画像データ記憶部に記憶させると共に、上記画像データを上記コンピュータの表示部に表示し、表示された集合写真における各受講者の画像位置情報と、受講者のＩＤ情報と関連させて記憶する一方、検証に際しては、受講者ＩＤ又は講座ＩＤを基に、講習に参加出席した各受講者の集合写真を画面上に再現して表示することによって、検証対象とする講習が確かに行われた旨、及び、当該講習会に参加した受講者の面々を目視により確認可能にしたから、簡単な方法で、代返などの不正行為を確実に防止することができる。
【００１８】
例えば、教育現場での参加者記録入力の負担が少なく、個人情報の管理負担を減らす基本は、個人情報を出来るだけ扱わないこと、扱う場合は管理レベルの低いことである。この原則に基づき、本発明のシステムは、扱う個人情報は、管理レベルが低く、しかもその量は講座あたり数枚程度の画像情報でしかも、身代わりや代返に相当するものや改ざんのできない、且つ、後で検証できる仕組みになっている。
【００１９】
具体的には、実施情報の収集として、バーコード、磁気式、ＩＣカードなどの身分証から個人ＩＤを読み取る装置、およびカメラ機能を持つ携帯電話機などのモバイル端末機で、講師が受講生の個人ＩＤを読み取る。このとき、身代わり防止の為の、本人しか判らないパスワードの入力は不要である。
【００２０】
また、本発明によれば、各受講者の画像位置情報と、受講者のＩＤ情報とを関連づけると共にデジタルタイムスタンプし、又は、暗号化して記憶させるようにしたから、改ざん等の不正行為を確実に防止することができる。
【発明の効果】
【００２１】
以上述べた次第で、本発明に係る出席者記録管理システムおよび出席者記録管理方法によれば、講習会等の実施記録とか、当該講習会への出席記録をとるに際して、代返や改ざんなどの不正行為を防止できるため、信憑性の高い実施記録や出席記録を得ることができるものであって、形だけの記録ではなく、信頼できる実際の記録を提供することができる。
【発明を実施するための最良の形態】
【００２２】
以下に、上述した本発明に係る出席記録管理システムの好適な実施形態を、貼付した図面を参照しながら説明する。
【００２３】
図１は同システム全体の機器構成図であって、図中、１０は各受講者または係員が所持する携帯電話機などのモバイル端末機、２０は管理サーバが有する管理コンピュータである。モバイル端末機１０と管理コンピュータ２０とは通信回線を介して相互に通信可能である。
【００２４】
モバイル端末機１０は、入力部１１、演算処理部であるＣＰＵ１２、メモリ１３、表示部１４、通信インターフェース１５、情報媒体通信インターフェース１６及び携帯カメラ等からなる撮像部１７を有する。管理コンピュータ２０は、入力部２１、演算処理部であるＣＰＵ２２、メモリ２３、表示部２４、通信インターフェース２５、外部記憶装置２６及びタッチパネルやマウス等からなる検索部２７を有する。
【００２５】
モバイル端末機１０において、入力装置１１は、各受講者または係員によって必要な情報をＣＰＵ１２とメモリ１３に入力するものである。ＣＰＵ１２は、入力部１１からの入力情報、情報媒体通信インターフェース１６からの情報、撮像部１７からの画像データ、及び、管理コンピュータ２０からの情報を基に演算処理する。また、メモリ１３はＣＰＵ１２の演算情報を記憶する。また、表示部１４は、ＣＰＵ１２の指令に基づいて必要とする演算情報を表示する。通信インターフェース１５は、モバイル端末機１０と管理サーバの管理コンピュータ２０との通信を司る。情報媒体通信インターフェース１６は、バーコード、磁気式、ＩＤタグなどの身分証から個人ＩＤを読み取る。携帯カメラ等からなる撮像部１７は、必要とする画像データを作成する。
【００２６】
管理コンピュータ２０において、入力部２１は、管理者によって必要とする情報を入力するものである。ＣＰＵ２２は、モバイル端末機１０のＣＰＵ１２による演算処理情報と外部記憶装置２６の記憶データを基に所要の演算処理実行し、その演算処理データをメモリ２３に格納する。表示部２４は、ＣＰＵ２２の指令に従って必要とする情報を表示する。通信インターフェース２５は、モバイル端末機１０の通信インターフェース１５と相俟って、当該モバイル端末機１０と管理サーバの管理コンピュータ２０との通信を司る。外部記憶装置２６は必要とする情報をテーブル化して格納しているもので、該外部記憶装置２６には、図２に示すように教育訓練履歴テーブル、教育訓練講座テーブル、カメラ画像管理テーブルが格納される。
【００２７】
図２の（Ａ）〜（Ｄ）は、管理コンピュータ２０の外部記憶装置２６に格納された各テーブルの内容の一例を示す。教育・訓練履歴テーブルは、（Ａ）に示すように、撮影者個人ＩＤ、モバイルＩＤ、講座管理コード、ＩＤ読みとり年月日時刻およびカメラ画像管理コードからなり、教育・訓練講座テーブルは、（Ｂ）に示すように、講座名称、講座管理コード、受講資格、開始年月日、開始時間、終了年月日、終了時間、講師名、内容および資料からなる。また、教育・訓練履歴テーブルは、（Ｃ）に示すように、個人ＩＤ、モバイルＩＤ、講座管理コード、ＩＤ読み取り年月日時刻およびカメラ画像管理コードからなり、カメラ画像管理テーブルは、（Ｄ）に示すように、カメラ画像コード、サブＮｏ．、モバイルＩＤ、個人ＩＤ、位置情報としてのＸ座標およびＹ座標からなる。
【００２８】
上記各テーブルの構成要素のうち、撮影者個人ＩＤ及びモバイルＩＤはモバイル端末機１０の入力部１１によって入力され、個人ＩＤ、ＩＤ読み取り年月日時刻は情報媒体通信インターフェース１６によって入力され、カメラ画像管理コードは撮像部１７によって入力され、講座名、講座管理コード、受講資格、開始年月日、開始時間、終了年月日、終了時間、講師名、内容、資料、Ｘ座標およびＹ座標は、管理コンピュータ２０の入力部２１によって入力される。
【００２９】
係員は、撮像部１７によって、教室内受講風景（受講生全員、集合写真）の撮影や訓練など全員の集合写真撮影する。厳選な運用をするときには、講座の初めと終わりなど時間を変えて複数撮影する。講座管理コードに基づいて、画像データと読み取った個人ＩＤをモバイル端末機１０から管理コンピュータ２０に送信する。
【００３０】
管理コンピュータ２０のＣＰＵ２２は、上記各構成要素を基に演算処理して、上記の各テーブルを作成し、当該各テーブルを外部記憶装置２６に格納すると共に、画像テーブルを作成し、この画像テーブルを表示部２４に表示する。
【００３１】
厳格さが要求される場合は、改ざん防止や存在性確保のために、管理コンピュータ２０で複数の画像データと読み取った複数の個人ＩＤをまとめて、例えばハッシュ値を用いて、第三者機関による検証可能なデジタル・タイムスタンプで封印して暗号化する。ハッシュ値は一方向性関数であるハッシュ関数によって演算された値であって、一方向性関数はある入力を変換して出力するのは簡単であるが、逆方向の出力から求めることが困難もしくは不可能な関数である。また、ハッシュ関数は広義には大きな定義域に値を写像する関数であるが、暗号などで利用されるハッシュ関数は一方向性を持ち、非衝突一致性を有し、元の値が異なるのに結果が同一になる確率が低い関数である。
【００３２】
図３は画像テーブルの画面例を示し、画像テーブル３０は複数の集合写真３１、３２、３３、３４、３５および３６からなり、講座名、講座ＩＤ、カメラ画像管理コード等が記載されている。集合社員を選択し、例えば集合写真３２を選び、画像テーブル４０を作成する。即ち、画像テーブル４０は集合写真３２、講座名、カメラ画像管理コード、講座参加個人ＩＤおよび氏名からなり、リスト表示の個人を指定し、マウスでカーソルを移動し、クリックすることにより、集合写真からその人物を選び、Ｘ−Ｙ座標による当該人物像の位置情報を求める。
【００３３】
図４は、画像テーブルの生成方法を示し、個人ＩＤを基に個人属性情報テーブルから氏名や年齢、所属などの属性を抽出し、しかる後に個人ＩＤを基に教育・訓練履歴テーブルから過去に受講した教育・訓練講座を抽出して画像テーブル５０を得る。画像テーブル５０には受講した講座がリスト表示されマウスでカーソルを移動してクリックし、講座を指定すると、例えば集合写真３２入りの画像テーブル６０が得られ、集合写真の当該人物像がカーソル表示される。
【００３４】
図５は教育・訓練受講記録の動作フローであって、ステップＳ１で、モバイル端末機１０の情報媒体通信インターフェース１６は受講者全員について個人ＩＤの読み取りを行う。ステップＳ２で、係員が撮像部１７を用いて受講者全員の集合写真の撮影を行う。この場合、分割でもよく複数枚でもよい。厳選な運用をするときには、講座の初めと終わりなど時間を変えて複数撮影する。なお、同一の講座でも複数の係員がそれぞれ持つモバイル端末機１０で、それぞれ個人ＩＤの読み取り、時間を変えて撮影する。ステップＳ３で、係員はモバイル端末機１０を用いて個人ＩＤと撮影画像データの送信を行う。ステップＳ４で管理コンピュータ２０は個人ＩＤと撮影画像データを受信する。ステップＳ５で、管理コンピュータ２０のＣＰＵ２２は受信データをデジタルタイムスタンプで封印する。ステップＳ６で、ＣＰＵ２２は受信データを外部記憶装置２６のテーブルに書き込む。厳格管理として、厳格さを要求される場合は、改ざんや存在性の確保のため、管理サーバで複数の画像データと読み取った複数の個人ＩＤをまとめて第三者機関による検証可能なデジタルタイムスタンプで封印する。
【００３５】
図６は、集合写真と個人ＩＤの関係付けの動作フローを示し、ステップＳ７で係員は、モバイル端末機１０の情報媒体インターフェース１６によって、講座ＩＤの入力を行う。これは、複数ある集合写真を選ぶためであり、全員を写すために複数の集合写真や開始時の写真と終了時の写真を撮る場合など、一講座につき複数の写真があるため、画面には、講座で撮った集合写真の一覧から一枚を選ぶ（サブＮｏ．）。ステップＳ９でＣＰＵ２２はサブＮｏ．を選択し、ステップＳ１０で表示部１４はカメラ画像表示を行う。ステップＳ１１でタッチパネル等の検索部２７により個人ＩＤを選択し、ステップＳ１２で該当する個人の顔画像照合を行う。
【００３６】
顔画像照合とは、事前登録された個人の顔画像が登録されている場合にのみ集合写真の顔と照合するもので、あくまで補助的なものである。ステップＳ１３でＣＰＵ２２はカメラ画像から個人を確認または選択する。ステップＳ１４で、図３に示すように、ＸＹ座標によって位置情報を書き込む。ステップＳ１５でＣＰＵ２２は個人の特定を続ける必要があるか否かを判断する。特定を続ける必要がなければ、ステップＳ１６に進み、表示画面の切り替えを行う必要があるか否かを判断する。ステップＳ１５で個人の特定を続ける必要があればステップＳ１９に戻り、ステップＳ１６で表示画面の切り替えが必要と判断すればステップＳ１１に戻る。
【００３７】
図７は、誰がどんな講座にでているかを調べると共に、集合写真画像でこれを確認するための個人履歴検証の動作フローであって、ステップＳ１７で、講師は入力部２１によって個人ＩＤのキー入力を行う。ステップＳ１８で個人属性情報テーブルから個人情報の抽出を行う。この場合、図４に示すように、個人属性テーブルからの氏名や年齢、所属などの属性を抽出する。ステップＳ１９で、教育・訓練テーブルからの個人ＩＤをキーに、過去に受講した教育・訓練講座を抽出し、教育・訓練講座の抽出を行う。ステップＳ２０で、個人ＩＤをキーに、教育・訓練テーブルからカメラ画像管理コードを抽出する。次に、ステップＳ２１に進み、サブＮｏ．を選択し、カメラ管理コードを表示部２４に表示させる。ステップＳ２２で、表示部２４はカメラ画像を表示し、ステップＳ２３で管理者である講師は画像を拡大して目視確認を行う。
【００３８】
図８は指定講座に誰がでているかを調べるための講座履歴検証の動作フローであって、ステップＳ２４で講師は入力部２１から講座ＩＤのキー入力を行い、ステップＳ２５に進み、ＣＰＵ２２は教育・訓練テーブルから教育・訓練講座の抽出を行う。ステップＳ２６で教育・訓練講座情報の抽出を行う。ステップＳ２７で表示部２４に受講生一覧表示を行い、ステップＳ２８でＣＰＵ２２はサブＮｏ．を選択して表示部２４にカメラ画像管理コードを表示させる。ステップＳ２９で表示部２４はカメラ画像の拡大表示を行い、これにより、ステップＳ３０で講師は目視確認を行う。なお、個人ＩＤを指定すれば画像の表示画面上に、当該個人に結び付けられたＸＹ座標によって、カーソル又はマークで示される。
【００３９】
上述の実施の態様においては講習会について述べたが、本発明は会合についても運用可能であり、また、各部の具体的構成についても上記実施態様に限らず本発明の趣旨を逸脱しない範囲で種々の変形が可能である。
【図面の簡単な説明】
【００４０】
【図１】本発明の実施の形態における出席記録管理システムの概略構成図。
【図２】本発明の実施の形態における各テーブルの構成図。
【図３】本発明の実施の態様の画像テーブルの機能構成図。
【図４】本発明の実施の形態における画像テーブルの機能構成図。
【図５】本発明の実施の形態による出席記録管理システムの動作を示すフローチャート。
【図６】本発明の実施の形態による出席記録管理システムの動作を示すフローチャート。
【図７】本発明の実施の形態による出席記録管理システムの動作を示すフローチャート。
【図８】本発明の実施の形態による出席記録管理システムの動作を示すフローチャート。
【符号の説明】
【００４１】
１０            モバイル端末機
１１            入力部
１２            ＣＰＵ
１３            メモリ
１４            表示部
１５            通信インターフェース
１６            情報媒体通信インターフェース
１７            撮像部
２０            管理コンピュータ
２１            入力部
２２            ＣＰＵ
２３            メモリ
２４            表示部
２５            通信インターフェース
２６            外部記憶装置
２７            検索部であるタッチパネル
【図１】
2006053597.tif 000003
【図２】
2006053597.tif 000004
【図３】
2006053597.tif 000005
【図４】
2006053597.tif 000006
【図５】
2006053597.tif 000007
【図６】
2006053597.tif 000008
【図７】
2006053597.tif 000009
【図８】
2006053597.tif 000010